(57)【要約】      （修正有）【課題】スライドドアにより、家具の横の空間を覆うことができ、異なった場所の状況に適合可能な家具を提供する。【解決手段】家具１０が、少なくとも１つのスライドドア１２を収容するための少なくとも１つのポケット１１を備え、少なくとも１つのスライドドア１２が、特に家具１０だけに移動可能に支承されて、少なくとも１つのスライドドア１２が、ポケット１１から少なくとも部分的に引出し可能に配設されることにより、少なくとも１つのスライドドア１２が家具１０に対して移動可能に配設されている。【選択図】図１
2012217852.tif 000002
【特許請求の範囲】
【請求項１】
少なくとも１つのスライドドア（１２）が家具（１０）に対して移動可能に配設されている、少なくとも１つのスライドドア（１２）を有する家具において、
ａ）家具（１０）が、少なくとも１つのスライドドア（１２）を収容するための少なくとも１つのポケット（１１）を備えること、
ｂ）少なくとも１つのスライドドア（１２）が、特に家具（１０）だけに移動可能に支承されていること、
ｃ）少なくとも１つのスライドドア（１２）が、ポケット（１１）から少なくとも部分的に引出し可能に配設されていること
を特徴とする家具。
【請求項２】
ポケット（１１）が、ポケット（１１）の領域に移動可能に配設された少なくとも１つのスライドドア（１２）を収容するために寸法設定されていることを特徴とする請求項１に記載の家具。
【請求項３】
少なくとも１つのスライドドア（１２）が、ポケット（１１）から横に引出し可能であり、ポケット（１１）が、１つのスライドドア（１２）又は各スライドドア（１２）の配設及び／又は寸法に適合された、相応の数の開口（１８）を備えることを特徴とする請求項１又は２に記載の家具。
【請求項４】
ポケット（１１）に２つのスライドドア（１２）が付設されており、ポケット（１１）が、これらスライドドア（１２）を本質的に正確に収容するために寸法設定されており、両スライドドア（１２）が、ポケット（１１）内のそれぞれ１つの開口（１８）を経てそれぞれ一方の側に向かってポケット（１１）から横に引出し可能に配設されていることを特徴とする請求項１〜３のいずれか１つに記載の家具。
【請求項５】
ポケット（１１）が家具（１０）の少なくとも一部を覆うように、ポケット（１１）が家具（１０）の前面の領域に配設されており、少なくとも１つのスライドドア（１２）が、ポケット（１１）の横の相応の空間を覆うために、ポケット（１１）から横に引出し可能に配設されていることを特徴とする請求項１〜４のいずれか１つに記載の家具。
【請求項６】
１つのスライドドア（１２）又は各スライドドア（１２）が、ポケット（１１）もしくはその壁の引出しレール（１９）を介して移動可能に支承されており、特に、引出しレール（１９）が、ポケット（１１）もしくはその壁に固定された支持部品（２０）と、この支持部品（２０）に案内された走行レール（２１）とを備え、スライドドア（１２）がポケット（１１）から横に引出し可能に配設されるように、走行レール（２１）がスライドドア（１２）と連結されていることを特徴とする請求項１〜５のいずれか１つに記載の家具。
【請求項７】
引出しレール（１９）の支持部品（２０）が、ポケット（１１）の上側の領域もしくはポケット（１１）の蓋（１４）の領域に配設されており、スライドドア（１２）の上側が引出しレール（１９）に固定されており、スライドドア（１２）が、下側を案内されていることを特徴とする請求項１〜６のいずれか１つに記載の家具。
【請求項８】
家具（１０）が棚（３０）等を備え、棚（３０）が、前面側をポケット（１１）によって少なくとも部分的に覆われ、少なくとも部分的に、少なくとも１つの他方の側に立入り可能であることを特徴とする請求項１〜７のいずれか１つに記載の家具。
【請求項９】
家具（１０）が、棚（３０）から横に引出し可能に配設されたテーブル、特に机（３７）を有し、少なくとも１つのスライドドア（１２）が、棚（３０）から引き出されたテーブルを覆うために、ポケット（１１）から引出し可能であることを特徴とする請求項８に記載の家具。
【請求項１０】
棚（３０）の少なくとも１つの棚底（３６）に、この棚底（３６）に対して固定された衣服用の収容部、特に衣服レール（３８）が付設されており、棚底（３６）が、棚（３０）から横に引出し可能に配設されており、少なくとも１つのスライドドア（１２）が、棚（３０）から引き出された、収容部、特に衣服レール（３８）を有する棚底（３６）を覆うために、ポケット（１１）から引出し可能であることを特徴とする請求項１〜９のいずれか１つに記載の家具。
【請求項１１】
棚底（３６）が、特に環状のフレーム（３９）と、このフレーム（３９）用のパネル（４０）とを備えることを特徴とする請求項１〜１０のいずれか１つに記載の家具。
【請求項１２】
棚底（３６）が、特に棚（３０）のケースに配設されたガイド手段（４３）によって、水平方向に棚（３０）から横に引出し可能に支承されていることを特徴とする請求項１〜１１のいずれか１つに記載の家具。
【発明の詳細な説明】
【技術分野】
【０００１】
本発明は、家具に対して移動可能に配設された少なくとも１つのスライドドアを有する家具に関する。
【背景技術】
【０００２】
１つ又は複数のスライドドアを有する家具は、種々のバリエーションで、例えば戸棚の種類で、実務から知られている。通常は、このような家具の１つ又は各スライドドアは、家具の前面の領域に配設され、横に可動に支承されている。これにより、スライドドアを相応に配設することによって、家具内の空間へのアクセスが可能であり、家具の相応の開口が閉鎖可能である。
【０００３】
更に、スライドドアをドアの開放時に横に配設された窪み内、例えば壁内に停止させておくことができる、いわゆる“ポケットドア”が公知である。
【先行技術文献】
【特許文献】
【０００４】
【特許文献１】独国特許出願公開第１９８  ３２  ４９２号明細書
【特許文献２】独国実用新案第８６  ３３  ６６７号明細書
【特許文献３】独国実用新案第８８  ０２  ２０８号明細書
【特許文献４】独国実用新案第１９  ９７  ４４２号明細書
【特許文献５】独国実用新案第１８  ９２  ７４８号明細書
【特許文献６】米国特許第２，６６５，９６３号明細書
【発明の概要】
【発明が解決しようとする課題】
【０００５】
これから出発して、本発明の根底にある課題は、新しい種類の家具を提供することにある。家具は、特に異なった設置場所への適合能力を顧慮して、普遍的に使用可能であるべきである。
【課題を解決するための手段】
【０００６】
この課題を解決するため、本発明による家具は、請求項１の特徴を備える。従って、
ａ）家具が、少なくとも１つのスライドドアを収容するための少なくとも１つのポケットを備えること、
ｂ）少なくとも１つのスライドドアが、家具、特にポケット（だけ）に移動可能に支承されていること、
ｃ）少なくとも１つのスライドドアが、ポケットから少なくとも部分的に引出し可能に配設されていること
を特徴とする。
【０００７】
このような家具は、出願人が知るところによればこれまで知られていない。スライドドアにより、家具もしくはポケットの横の空間を覆うことができる。例えば、家具もしくはポケットを部屋の角の近傍に配置することが可能であるので、スライドドアによって、部屋の一部、特に部屋の角を覆うこともしくは区画することができる。家具もしくはポケットは、普遍的に使用可能であり、スライドドアによって異なった場所の状況、特に異なった幅の（部屋の）窪み又は（部屋の）角に適合可能である。
【０００８】
本願の範囲内で、家具との概念は、内部区間又は外部領域における全ての装置対象の代わりであると理解する。特別な実施形では、家具が、本質的にポケット及び１つ以上のスライドドアから成る。
【０００９】
本発明の別の好ましい形成は、従属請求項と残りの明細書からわかる。
【００１０】
好ましい発展形によれば、ポケットが、ポケットの領域に移動可能に配設された少なくとも１つのスライドドアを収容するために寸法設定されている。即ち、ポケットは、コンパクトな寸法を備え、特に、少なくとも１つのスライドドアの収容のためよりも不必要に大きくない。
【００１１】
特に、少なくとも１つのスライドドアは、ポケットから横に引出し可能であり、ポケットは、１つのスライドドア又は各スライドドアの配設及び／又は寸法に適合された、相応の数の開口を備える。本発明の好ましい実施例によれば、ポケットに２つのスライドドアが付設されており、ポケットが、これらスライドドアを本質的に正確に収容するために寸法設定されており、両スライドドアが、ポケット内のそれぞれ１つの開口を経てそれぞれ一方の側に向かってポケットから横に引出し可能に配設されている。
【００１２】
家具が、本質的に、ポケット及び１つ以上のスライドドアだけから成るのではない場合にのみ、ポケットが家具の少なくとも一部を覆うように、ポケットが家具の前面の領域に配設されており、少なくとも１つのスライドドアが、ポケットの横の相応の空間を覆うために、ポケットから横に引出し可能に配設されている。
【００１３】
構造的に、スライドドアの固定は、１つのスライドドア又は各スライドドアが、ポケットもしくはその壁の（それぞれ１つの）引出しレールを介して移動可能に支承されており、特に、引出しレールが、ポケットもしくはその壁に固定された支持部品と、この支持部品に案内された走行レールとを備え、スライドドアがポケットから横に引出し可能に配設されるように、走行レールがスライドドアと連結されているように、行なうことができる。引出しレールは、必要時にテレスコープ式に形成することができる。
【００１４】
本発明の好ましい実施形によれば、引出しレールの支持部品が、ポケットの上側の領域もしくはポケットの蓋の領域に配設されており、スライドドアの上側が引出しレールに固定されており、スライドドアが、下側を案内されている。
【００１５】
更に、家具が棚等を備え、棚が、前面側をポケットによって少なくとも部分的に覆われ、少なくとも部分的に、少なくとも１つの他方の側に立入り可能であるもしくは開放されていることを提案する。更に、家具は、棚から横に引出し可能に配設されたテーブル、特に机を有し、少なくとも１つのスライドドアが、棚から引き出されたテーブルを覆うために、ポケットから引出し可能である。
【００１６】
ポケットもしくはスライドドアに依存しない独立した発明である特別な発展形では、棚の少なくとも１つの棚底に、この棚底に対して固定された衣服用の収容部、特に衣服レールが付設されており、棚底が、棚から横に引出し可能に配設されており、少なくとも１つのスライドドアが、棚から引き出された、収容部、特に衣服レールを有する棚底を覆うために、ポケットから引出し可能である。
【００１７】
構造的については、棚底が、特に環状のフレームと、このフレーム用のパネルとを備える。棚底は、特に棚のケースに配設されたガイド手段によって、水平方向に棚から横に引出し可能に支承することができる。
【００１８】
本発明の好ましい実施例を、以下で図面に基づいて説明する。
【図面の簡単な説明】
【００１９】
【図１】家具を立体図で示す。
【図２】図１による家具のバリエーションを相応の図で示す。
【図３】図２による家具の別の立体図を示す。
【図４】一方のスライドドアが閉じられた図２による家具を示す。
【図５】２つのスライドドアが閉じられた図２による家具を示す。
【図６】図２による家具の一部を立体図で示す。
【図７】図１による家具の垂直断面図を示す。
【図８】図７のＶＩＩＩ部分の拡大詳細図を示す。
【図９】図７のＩＸ部分の拡大詳細図を示す。
【図１０】図１による家具の水平断面図を示す。
【図１１】図１０のＸＩ部分の拡大詳細図を示す。
【図１２】図１０のＸＩＩ部分の拡大詳細図を示す。
【図１３】図２による家具の垂直断面図を示す。
【図１４】図１３のＸＩＶ部分拡大詳細図を示す。
【図１５】衣服レールを有する棚底を分解図で示す。
【図１６】第１の壁の窪み内にある家具を示す。
【図１７】第２の壁の窪み内にある家具を示す。
【発明を実施するための形態】
【００２０】
本発明では、まず、図１による少なくとも１つのスライドドア１２を収容するためのポケット１１を有する家具１０が議論される。更に、これには、図７〜１２の図も含まれる。図１に示した家具１０が、示した種々のバリエーションにおける共通点であり、従って、まず説明する。
【００２１】
示したポケット１１は、２つのスライドドア１２を収容するために設けられている。スライドドア１２は、ポケット１１に対して、即ち二重矢印１３に応じた水平方向に、移動可能に配設されている。
【００２２】
ポケット１１は、両スライドドア１２を収容するために適するように、寸法設定されている。但し、ただ１つのスライドドア１２が設けられていることも考えられるので、その場合は、ポケット１１は、相応に小さい寸法もしくは小さい深さを備えることができる。
【００２３】
ポケット１１は、少なくとも１つのスライドドア１２を収容するための内部空間を有する。ポケット１１は、相応の壁、即ち少なくとも１つの上側もしくは蓋１４と、前側もしくは前面１５と、背面１６と、によって画成される。
【００２４】
さらに、底１７が設けられており、この底は、１つのスライドドア１２又は各スライドドア１２用のガイドレールの形式で形成することや、このガイドレールを有するように形成することができる。
【００２５】
ポケット１１は、スライドドア１２の配設に応じて、１つ又は複数の開口１８を横に備える。この１つの開口１８又は各開口１８は、スライドドア１２をそれぞれポケット１１から横に引き出すことができるように、配設及び寸法設定されている。
【００２６】
ポケット１１の内部空間は、スライドドア１２を完全に収容するために寸法設定されている。
【００２７】
１つのスライドドア１２又は各スライドドア１２が、家具１０に、この場合はポケット１１に、移動可能に配設されている。このため、各スライドドア１２のために１つの引出しレール１９が設けられている。引出しレール１９は、それぞれ、ポケット１１の上側の領域もしくは蓋１４に配設された支持レール２０を有する。それぞれのスライドドア１２の上側の領域に、走行レール２１が配設されており、この走行レールは、支持レール２０の長手方向に移動可能にこの支持レール２０に支承されている。このようにして、１つのスライドドア１２又は各スライドドア１２が、ポケット１１から横に引出し可能に支承されている。
【００２８】
引出しレール１９は、場合によってはテレスコープ式としてもよい。
【００２９】
スライドドア１２は、この例では、個々のフレーム形材２３とフレーム２２を埋めるパネル２４とから成る環状のフレーム２２を有する強固な構成体である。フレーム２２もしくはフレーム形材２３は、特にアルミニウム等から成る押出し形材から製造される。このようにして、スライドドア１２に対する引出しレール１９の安定な固定が確保されている。
【００３０】
特に、スライドドア１２は、一部材で形成されている。しかしながらまた、スライドドア１２を複数部材で形成することも考えられる。
【００３１】
ポケットの底１７は、この例では押出し形材によって構成される。周縁部のウェブ２５は、ポケット１１の直立した壁、即ち前面１５及び背面１６を固定するために設けられている。更に、各スライドドア１２のために、底１７の長手方向に延在するガイド２６が設けられている。底１７のガイド２６内に、スライドドア１２の下側に配設されたガイドピン２７が案内されるので、スライドドア１２は、開閉時に側方を案内される。このようにして、特にスライドドア１２の揺動が回避される。
【００３２】
さらに、スライドドア１２をローラ上に支承することも考えられる。これは、ガイド２６もしくはガイドピン２７に対して付加的又は選択的に行なうことができる。
【００３３】
横の開口１８は、それぞれ１つのスライドドア１２が１つの開口１８を経て移動することができるように、寸法設定されている。スライドドア１２は、常に１つの方向にのみ横に引き出すことができるように構成されている。相応に、開口１８は、部分的に閉鎖しなければならず、これは、閉鎖形材２８によって行なわれる。閉鎖形材２８には、ポケット１１内に存在するスライドドア１２を把持し、引き出すことができるように、取っ手２９が形成されている。
【００３４】
基本的に、スライドドア１２をそれぞれ両方の側にポケット１１から引き出すことができるようにすることも、考えられる。その場合、場合によっては（部分的に）閉鎖形材２８を省略してもよい。
【００３５】
特に、閉鎖形材２８は、アルミニウムから成る押出し形材として構成され、平面図でほぼＬ字状であり、閉鎖形材２８の脚部は、ポケット１１の相応の側壁、即ち例えば前面１５又は背面１６に固定される。
【００３６】
２つのスライドドア１２が配設される場合、これは、スライドドア１２を２つの平行な平面内に相前後して配設するように、行なうことができる。しかしながらまた、１つの同じ平面内にスライドドア１２を配設することも考えられる。
【００３７】
図２〜６に、家具１０のバリエーションが図示されている。この場合、１つ又は複数のスライドドア１２を有する前記ポケット１１が、棚３０と組み合わされる。すべての付属品を有する棚３０が、図６に単独で示されている。
【００３８】
棚３０は、部屋に向いた側を、ポケット１１によって覆われている。この場合、棚３０とポケット１１は、互いに結合することができるので、その他のポケット１１の固定を省略することができる。
【００３９】
棚３０の前面がポケット１１によって閉鎖されているので、棚３０の内部空間へのアクセスは、横から行なわれる。棚３０は、後側を後壁３１によって閉鎖されている。棚３０は、上側を蓋３２によってカバーされ、下側に底３３が設けられている。
【００４０】
棚３０の内部空間は、普通の分割機構によって分割することができる。模範的に、いくつかの棚板３４が記入されている（特に図６参照）。更に、部分領域に、引出し３５を設けることができる。
【００４１】
更に、棚３０は、２つの特徴を、即ち、一方では、それぞれ棚３０から横に引出し可能な家具部分、即ち特別な棚底３６を、他方では、机３７を備える。
【００４２】
棚底３６の第１の特徴は、棚底３６に固定配設され、棚底３６と共に棚３０から引出し可能な衣服レール３８にある。
【００４３】
棚底３６の第２の特徴は、棚底が環状のフレーム３９とこのフレーム３９用のパネル４０から成る点にある。フレーム３９自身は、環状に配設された複数のフレーム形材４１から成る。フレーム形材４１を結合するため、アングル形材４２が使用される。衣服レール３８は、パネル４０及び／又はフレーム３９に固定することができ、パネル４０の下に配設されている。
【００４４】
棚３０内に棚底３６を移動可能に配設するため、ガイド手段４３が棚３０、即ちそれぞれ後壁３１及び背面１６の内側に配設されている。棚底３６を水平方向に棚３０から横に引出し可能に支承するように、相応のフレーム形材４１が、ガイド手段４３側の外側を形成されている。特に、フレーム３９のフレーム形材４１とガイド手段４３間は、本質的に噛合い係合が行なわれる。
【００４５】
机３７の特徴は、机３７が棚底３６のように棚３０から横に引出し可能に形成されている点にある。机３７は、一方で、テーブルプレート４４と、テーブルプレート４４の下に配設された直立した側壁４５とを有する。テーブルプレート４４は、この実施例では、棚板３４の上に位置し、しかしながらまた棚底３６のように案内することもできる。特に、側壁４５には、机３７を棚３０から横に良好に引き出すことができるように、少なくとも部分的に滑り又は転がり手段が付設されている。
【００４６】
前記棚３０が純粋に模範的に考えられていることがわかる。ポケット１１を配設する他の家具部分を設けることもできる。１つより多くのポケット１１を、例えば家具１０の向かい合う２つの側面又は家具１０の隣接する２つの側面又は家具１０の２つより多くの側面に設けることも考えられる。
【００４７】
図１６及び１７は、それぞれ１つの窪み４６，４７にこのような家具１０が設置されることを示す。
【００４８】
窪み４６は、後側と両端面側を、壁４７，４８，４９によって画成されている。家具１０の棚３０は、後側が壁４７に沿っているので、ポケット１１は、部屋の方を向き、棚３０を覆う。スライドドア１２は、壁４８，４９に向かって横に移動可能であるので、家具１０と壁４８，４９間の領域５０，５１がスライドドア１２によって覆われている。
【００４９】
必要時に、スライドドア１２は、個々に、開放すること及びポケット１０内に押し込むことができるので、机３７及び衣服レール３８を有する棚底３６へのアクセスが可能である。
【００５０】
図１７に示した、家具１０の設置のバリエーションは、窪み４６が一方の側を壁４８によって画成されていないことによって、図１６とは異なる。このような例でも、家具１０の設置が考えられる。
【００５１】
同様に、家具１０は、まっすぐな壁４７に沿って設置すること又は室内に自由に設置することができる。
【符号の説明】
【００５２】
１０    家具
１１    ポケット
１２    スライドドア
１３    二重矢印
１４    蓋
１５    前面
１６    背面
１７    底
１８    開口
１９    引出しレール
２０    支持レール
２１    走行レール
２２    フレーム
２３    フレーム形材
２４    パネル
２５    ウェブ
２６    ガイド
２７    ガイドピン
２８    閉鎖形材
２９    取っ手
３０    棚
３１    後壁
３２    蓋
３３    底
３４    棚板
３５    引出し
３６    棚底
３７    机
３８    衣服レール
３９    フレーム
４０    パネル
４１    フレーム形材
４２    アングル形材
４３    ガイド手段
４４    テーブルプレート
４５    側壁
４６    窪み
４７    壁
４８    壁
４９    壁
【図１】
2012217852.tif 000003
【図２】
2012217852.tif 000004
【図３】
2012217852.tif 000005
【図４】
2012217852.tif 000006
【図５】
2012217852.tif 000007
【図６】
2012217852.tif 000008
【図７】
2012217852.tif 000009
【図８】
2012217852.tif 000010
【図９】
2012217852.tif 000011
【図１０】
2012217852.tif 000012
【図１１】
2012217852.tif 000013
【図１２】
2012217852.tif 000014
【図１３】
2012217852.tif 000015
【図１４】
2012217852.tif 000016
【図１５】
2012217852.tif 000017
【図１６】
2012217852.tif 000018
【図１７】
2012217852.tif 000019